(57)【要約】【課題】コンピュータを介することなくＵＳＢメモリ内のデータを他の携帯式のメモリにコピーすることができるファイルコピー装置を提供する。【解決手段】  第一接続手段と、第二接続手段と、制御手段とを含んでなり、第一接続手段は、第一携帯式保存媒体を挿接するために供するとともに、第一携帯式保存媒体がもとのファイルを含んでなり、第二接続手段は、第二携帯式保存媒体を挿接するために供し、制御手段は、第一接続手段と、第二接続手段と、メモリ手段とにそれぞれ接続し、指令信号に基づいて、もとのファイルをメモリ手段に保存するとともに、もとのファイルを第二携帯式保存媒体にコピーする。【選択図】  図１
0003141850.tif 000002
【実用新案登録請求の範囲】
【請求項１】
第一接続手段と、第二接続手段と、制御手段とを含んでなり、
該第一接続手段は、第一携帯式保存媒体を挿接するために供するとともに、  該第一携帯式保存媒体がもとのファイルを含んでなり、
該第二接続手段は、第二携帯式保存媒体を挿接するために供し、
該制御手段は、第一接続手段と、第二接続手段と、メモリ手段とにそれぞれ接続し、指令信号に基づいて、もとのファイルをメモリ手段に保存するとともに、もとのファイルを第二携帯式保存媒体にコピーすることを特徴とするファイルコピー装置。
【請求項２】
前記ファイルコピー装置が電源感知・制御手段を含んでなり、
該電源感知・制御手段が第一接続手段と、制御手段にそれぞれ接続して、第一携帯式保存媒体の操作速度を検知することを特徴とする請求項１に記載のファイルコピー装置。
【請求項３】
前記ファイルコピー装置が電源供給手段を含んでなり、
該電源供給手段が、ファイルコピー装置、第一携帯式保存媒体、第二携帯式保存媒体に必要な電力を供給することを特徴とする請求項１に記載のファイルコピー装置。
【請求項４】
前記ファイルコピー装置が表示手段を含んでなり、
該表示手段が制御手段に接続して、第一携帯式保存媒体、第二携帯式保存媒体、メモリ手段に関するデータを表示するために供することを特徴とする請求項１に記載のファイルコピー装置。
【請求項５】
前記ファイルコピー装置が入力手段を含んでなり、
該入力手段が、制御手段に接続し、ユーザーが操作して指令信号を発生するために供することを特徴とする請求項１に記載のファイルコピー装置。
【請求項６】
前記ファイルコピー装置が伝送制御手段と、表示／入力制御手段とを含んでなり、
該伝送制御手段は、第一接続手段、第二接続手段、メモリ手段に接続して、指令信号に基づいてもとのファイルをメモリ手段に保存するとともに、該もとのファイルを第二形態式保存媒体にコピーするために供し、
該表示／入力制御手段は、伝送制御手段、表示手段、入力手段にそれぞれ接続して、該表示手段を制御するために供し、ユーザーが入力手段を操作して発生した指令信号を受信するとともに、該指令信号を伝送制御手段に送信することを特徴とする請求項１に記載のファイルコピー装置。
【請求項７】
前記第一携帯式保存媒体が、フラッシュメモリ、或いはハードディスクを含むことを特徴とする請求項１に記載のファイルコピー装置。
【請求項８】
前記第二携帯式保存媒体が、フラッシュメモリ、或いはハードディスクを
含むことを特徴とする請求項１に記載のファイルコピー装置。
【請求項９】
前記第一接続手段がＵＳＢ接続手段であることを特徴とする請求項１に記載のファイルコピー装置。
【請求項１０】
前記第二接続手段がＵＳＢ接続手段であることを特徴とする請求項１に記載のファイルコピー装置。
【請求項１１】
前記ファイルコピー装置が、携帯式の電子装置に一体化して設けられ、該携帯式電子装置が、ゲーム機、電子辞典、パーソナルデジタルアシスト、携帯通信手段であることを特徴とする請求項１に記載のファイルコピー装置。
【請求項１２】
接続コネクタ手段と、接続コネクタ座手段と、第一メモリ手段と、第二メモリ手段と、制御手段とを含んでなり、
該接続コネクタ手段が、データ処理装置を挿接するために供し、
該接続コネクタ座手段が、第一携帯式保存媒体と／或いは第二携帯式保存媒体を挿接するために供するとともに、第一携帯式保存媒体がもとのファイルを含んでなり、
該第一メモリ手段がフラッシュメモリを含み、
該第二メモリ手段が携帯式のメモリを含み、
該制御手段が、接続コネクタ手段と、接続コネクタ座手段と、第一メモリ手段と、第二メモリ手段とにそれぞれ接続して、指令信号に基づいて選択し、データ処理装置とファイルの保存を行うとともに、制御手段が指令信号に基づいて選択してもとのファイルを第一メモリ手段か、或いは第二メモリ手段に保存することを特徴とするファイルコピー装置。
【請求項１３】
前記ファイルコピー装置が、電源感知・制御手段を含んでなり、
該電源感知・制御手段が接続コネクタ手段と、制御手段とに接続して、データ処理装置の伝送速度を検知するために供するとともに、データ処理装置に電源を提供することを特徴とする請求項１２に記載のファイルコピー装置。
【請求項１４】
前記ファイルコピー装置が、電源供給手段を含んでなり、
該電源供給手段が、ファイルコピー装置、第一携帯式保存媒体、第二携帯式保存媒体に必要な電力を供給することを特徴とする請求項１２に記載のファイルコピー装置。
【請求項１５】
前記ファイルコピー装置が、表示手段を含んでなり、
該表示手段が、制御手段に接続して第一携帯式保存媒体、第二携帯式保存媒体、第一メモリ手段、第二メモリ手段に関するデータを表示するために供することを特徴とする請求項１２に記載のファイルコピー装置。  
【請求項１６】
前記ファイルコピー装置が、入力手段を含んでなり、
該入力手段が、制御手段に接続してユーザーが操作して指令信号を発生させるために供することを特徴とする請求項１２に記載のファイルコピー装置。
【請求項１７】
前記制御手段が、伝送制御手段と、表示／入力制御手段とを含んでなり、
該伝送制御手段が、接続コネクタ手段と、接続コネクタ座手段と、第一メモリ手段と、第二メモリ手段とにそれぞれ接続して、指令信号に基づいて選択してデータ処理装置とファイルの読み取りを行い、伝送制御手段が指令信号に基づいてもとのファイルを選択して第一メモリ手段か、或いは第二メモリ手段に保存し、
該表示／入力制御手段が、伝送制御手段と、表示手段と、入力手段とにそれぞれ接続し、制御手段がユーザーが操作して入力手段が発生した指令信号を受信するために供し、該指令信号を伝送制御手段に送信することを特徴とする請求項１２に記載のファイルコピー装置。
【請求項１８】
前記第一携帯式保存媒体がフラッシュメモリか、ハードディスクを含むことを特徴とする請求項１２に記載のファイルコピー装置。
【請求項１９】
前記第二携帯式保存媒体がフラッシュメモリか、ハードディスクを含むことを特徴とする請求項１２に記載のファイルコピー装置。
【請求項２０】
前記接続コネクタ手段が、ＵＳＢ接続コネクタ手段であることを特徴とする請求項１２に記載のファイルコピー装置。
【請求項２１】
前記接続コネクタ座手段が、ＵＳＢ接続コネクタ座手段であることを特徴とする請求項１２に記載のファイルコピー装置。  
【請求項２２】
前記ファイルコピー装置が、携帯式の電子装置に一体化して設けられ、該携帯式電子装置が、ゲーム機、電子辞典、パーソナルデジタルアシスト、携帯通信手段であることを特徴とする請求項１２に記載のファイルコピー装置。
【考案の詳細な説明】
【技術分野】
【０００１】
この考案は、ファイルコピー装置であって、特に携帯式メモリのファイルコピー装置である。
【背景技術】
【０００２】
情報産業の急速な発展に伴って、コンピュータ周辺機器は、すでに現代の人々の生活に欠かせない補助的な道具となっている。
【０００３】
そのうち、ＵＳＢ（Ｕｎｉｖｅｒｓａｌ  Ｓｅｒｉａｌ  Ｂｕｓ）メモリや、さまざまな規格のメモリーカード、小型サイズのハードディスク等の携帯式メモリは、現在、もっとも頻繁に利用されているコンピュータ周辺機器の一つである。
【０００４】
特に、ＵＳＢメモリは、コンパクトで便利で、挿入するだけで利用することができ、価格が安く、容量も理想的であるなどの利点を具えているため、さまざまな業界、或いは日常生活の中において、重要なデータを保存し、携帯できる保存手段となっている。
【０００５】
しかしながら、ユーザーがＵＳＢメモリ内のデータを他のＵＳＢメモリ、メモリカード、或いは携帯式のハードディスクなどにコピーする場合、ＵＳＢメモリ内のデータを先にコンピュータにコピーし、その後、コンピュータからデータを他のＵＳＢメモリ、メモリカード、或いは携帯式のハードディスクなどにコピーしなければならない。
【０００６】
上述の操作は、従来、ソフトディスクをデータの保存手段として利用していた時に比べて便利になったが、コンピュータを媒体としなければ保存、或いはデータを他の携帯式の保存手段にコピーできない。よって、データの管理など、使用上不便さがある。
【考案の開示】
【考案が解決しようとする課題】
【０００７】
この考案は、コンピュータを介することなくＵＳＢメモリ内のデータを他の携帯式のメモリにコピーすることができるファイルコピー装置を提供することを課題とする。
【課題を解決するための手段】
【０００８】
そこで、本考案者は従来の技術に見られる欠点に鑑みて鋭意研究を重ねた結果、第一接続手段と、第二接続手段と、制御手段とを含んでなり、
該第一接続手段は、第一携帯式保存媒体を挿接するために供するとともに、  該第一携帯式保存媒体がもとのファイルを含んでなり、
該第二接続手段は、第二携帯式保存媒体を挿接するために供し、
該制御手段は、第一接続手段と、第二接続手段と、メモリ手段とにそれぞれ接続し、指令信号に基づいて、もとのファイルをメモリ手段に保存するとともに、もとのファイルを第二携帯式保存媒体にコピーするファイルコピー装置の構造によって課題を解決できる点に着眼し、かかる知見に基づいて本考案を完成させた。
【０００９】
以下、この考案について具体的に説明する。
請求項１に記載の第一接続手段と、第二接続手段と、制御手段とを含んでなり、
該第一接続手段は、第一携帯式保存媒体を挿接するために供するとともに、該第一携帯式保存媒体がもとのファイルを含んでなり、
該第二接続手段は、第二携帯式保存媒体を挿接するために供し、
該制御手段は、第一接続手段と、第二接続手段と、メモリ手段とにそれぞれ接続し、指令信号に基づいて、もとのファイルをメモリ手段に保存するとともに、もとのファイルを第二携帯式保存媒体にコピーする。
【００１０】
請求項２に記載のファイルコピー装置は、請求項１におけるファイルコピー装置が電源感知・制御手段を含んでなり、
該電源感知・制御手段が第一接続手段と、制御手段にそれぞれ接続して、第一携帯式保存媒体の操作速度を検知する。
【００１１】
請求項３に記載のファイルコピー装置は、請求項１におけるファイルコピー装置が電源供給手段を含んでなり、
該電源供給手段が、ファイルコピー装置、第一携帯式保存媒体、第二携帯式保存媒体に必要な電力を供給する。
【００１２】
請求項４に記載のファイルコピー装置は、請求項１におけるファイルコピー装置が表示手段を含んでなり、
該表示手段が制御手段に接続して、第一携帯式保存媒体、第二携帯式保存媒体、メモリ手段に関するデータを表示するために供する。
【００１３】
請求項５に記載のファイルコピー装置は、請求項１におけるファイルコピー装置が入力手段を含んでなり、
該入力手段が、制御手段に接続し、ユーザーが操作して指令信号を発生するために供する。
【００１４】
請求項６に記載のファイルコピー装置は、請求項１におけるファイルコピー装置が伝送制御手段と、表示／入力制御手段とを含んでなり、
該伝送制御手段は、第一接続手段、第二接続手段、メモリ手段に接続して、指令信号に基づいてもとのファイルをメモリ手段に保存するとともに、該もとのファイルを第二形態式保存媒体にコピーするために供し、
該表示／入力制御手段は、伝送制御手段、表示手段、入力手段にそれぞれ接続して、該表示手段を制御するために供し、ユーザーが入力手段を操作して発生した指令信号を受信するとともに、該指令信号を伝送制御手段に送信する。
【００１５】
請求項７に記載のファイルコピー装置は、請求項１における第一携帯式保存媒体が、フラッシュメモリ、或いはハードディスクを含む。
【００１６】
請求項８に記載のファイルコピー装置は、請求項１における第二携帯式保存媒体が、フラッシュメモリ、或いはハードディスクを含む。
【００１７】
請求項９に記載のファイルコピー装置は、請求項１における第一接続手段がＵＳＢ接続手段である。
【００１８】
請求項１０に記載のファイルコピー装置は、請求項１における第二接続手段がＵＳＢ接続手段である。
【００１９】
請求項１１に記載のファイルコピー装置は、請求項１におけるファイルコピー装置が、携帯式の電子装置に一体化して設けられ、該携帯式電子装置が、ゲーム機、電子辞典、パーソナルデジタルアシスト、携帯通信手段である。
【００２０】
請求項１２に記載のファイルコピー装置は、接続コネクタ手段と、接続コネクタ座手段と、第一メモリ手段と、第二メモリ手段と、制御手段とを含んでなり、
該接続コネクタ手段が、データ処理装置を挿接するために供し、
該接続コネクタ座手段が、第一携帯式保存媒体と／或いは第二携帯式保存媒体を挿接するために供するとともに、第一携帯式保存媒体がもとのファイルを含んでなり、
該第一メモリ手段がフラッシュメモリを含み、
該第二メモリ手段が携帯式のメモリを含み、
該制御手段が、接続コネクタ手段と、接続コネクタ座手段と、第一メモリ手段と、第二メモリ手段とにそれぞれ接続して、指令信号に基づいて選択し、データ処理装置とファイルの保存を行うとともに、制御手段が指令信号に基づいて選択してもとのファイルを第一メモリ手段か、或いは第二メモリ手段に保存する。
【００２１】
請求項１３に記載のファイルコピー装置は、請求項１２におけるファイルコピー装置が、電源感知・制御手段を含んでなり、
該電源感知・制御手段が接続コネクタ手段と、制御手段とに接続して、データ処理装置の伝送速度を検知するために供するとともに、データ処理装置に電源を提供する。
【００２２】
請求項１４に記載のファイルコピー装置は、請求項１２におけるファイルコピー装置が、電源供給手段を含んでなり、
該電源供給手段が、ファイルコピー装置、第一携帯式保存媒体、第二携帯式保存媒体に必要な電力を供給する。
【００２３】
請求項１５に記載のファイルコピー装置は、請求項１２におけるファイルコピー装置が、表示手段を含んでなり、
該表示手段が、制御手段に接続して第一携帯式保存媒体、第二携帯式保存媒体、第一メモリ手段、第二メモリ手段に関するデータを表示するために供する。
【００２４】
請求項１６に記載のファイルコピー装置は、請求項１２におけるファイルコピー装置が、入力手段を含んでなり、
該入力手段が、制御手段に接続してユーザーが操作して指令信号を発生させるために供する。
【００２５】
請求項１７に記載のファイルコピー装置は、請求項１２における制御手段が、伝送制御手段と、表示／入力制御手段とを含んでなり、
該伝送制御手段が、接続コネクタ手段と、接続コネクタ座手段と、第一メモリ手段と、第二メモリ手段とにそれぞれ接続して、指令信号に基づいて選択してデータ処理装置とファイルの読み取りを行い、伝送制御手段が指令信号に基づいてもとのファイルを選択して第一メモリ手段か、或いは第二メモリ手段に保存し、
該表示／入力制御手段が、伝送制御手段と、表示手段と、入力手段とにそれぞれ接続し、制御手段がユーザーが操作して入力手段が発生した指令信号を受信するために供し、該指令信号を伝送制御手段に送信する。
【００２６】
請求項１８に記載のファイルコピー装置は、請求項１２における第一携帯式保存媒体がフラッシュメモリか、ハードディスクを含む。
【００２７】
請求項１９に記載のファイルコピー装置は、請求項１２における第二携帯式保存媒体がフラッシュメモリか、ハードディスクを含む。
【００２８】
請求項２０に記載のファイルコピー装置は、請求項１２における接続コネクタ手段が、ＵＳＢ接続コネクタ手段である。
【００２９】
請求項２１に記載のファイルコピー装置は、請求項１２における接続コネクタ座手段が、ＵＳＢ接続コネクタ座手段である。
【００３０】
請求項２２に記載のファイルコピー装置は、請求項１２におけるファイルコピー装置が、携帯式の電子装置に一体化して設けられ、該携帯式電子装置が、ゲーム機、電子辞典、パーソナルデジタルアシスト、携帯通信手段である。
【考案の効果】
【００３１】
この考案によるファイルコピー装置は、コンピュータを介する必要なく、ＵＳＢメモリ内のデータを他の携帯式の保存媒体にコピーできるという効果を有する。
【考案を実施するための最良の形態】
【００３２】
この考案は、コンピュータを介することなくＵＳＢメモリ内のデータを他の携帯式のメモリにコピーすることができるファイルコピー装置であって、第一接続手段と、第二接続手段と、制御手段とを含んでなり、
該第一接続手段は、第一携帯式保存媒体を挿接するために供するとともに、該第一携帯式保存媒体がもとのファイルを含んでなり、
該第二接続手段は、第二携帯式保存媒体を挿接するために供し、
該制御手段は、第一接続手段と、第二接続手段と、メモリ手段とにそれぞれ接続し、指令信号に基づいて、もとのファイルをメモリ手段に保存するとともに、もとのファイルを第二携帯式保存媒体にコピーするファイルコピー装置の構造と特徴を詳述するために具体的な実施例を挙げ、図示を参照にして以下に説明する。
【実施例】
【００３３】
図１は、この考案のファイルコピー装置を示したブロック図である。図面によれば、この考案のファイルコピー装置１は、第一接続手段１０と、第二接続手段１２と、制御手段１４とを含んでなる。
【００３４】
該第一接続手段１０は、携帯式の保存媒体２０に挿接し、第二接続手段１２も、別の携帯式の保存媒体２２に挿接することができる。
【００３５】
また、携帯式の保存媒体２０は、もともとのデータを含んでなり、文字ファイル、音声ファイル、映像ファイル、システムのファイルなど特定のファイルに限らない。
【００３６】
実際に応用する場合、携帯式の保存媒体２０、２２には、フラッシュメモリ、或いはハードディスクなどが含まれ、特定の媒体に限られない。
【００３７】
即ち、携帯式の保存媒体２０、２２は、ＵＳＢメモリ、さまざまな規格のメモリカード、或いは携帯式のハードディスクなどに限らない。
【００３８】
第一接続手段１０と、第二接続手段１２は、需要により、ＵＳＢコネクタ、ＩＥＥＥ（Ｉｎｓｕｔｉｔｕｔｅｓ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４コネクタ、或いはその他適宜なコネクタなどを含む。
【００３９】
また、制御手段１４は、第一接続手段１０と、第二接続手段１２と、メモリ手段１６とにそれぞれ接続し、指令信号で、携帯式の保存媒体２０内に保存されていたもともとファイルをメモリ手段１６内に保存するとともに、該ファイルを携帯式の保存媒体２２の内部にコピーする。
【００４０】
図２Ａは、この考案のファイルコピー装置の実施形態を示したブロック図であり、２Ｂは、図２Ａに開示するファイルコピー装置を示したものである。
【００４１】
図２Ａ、２Ｂによれば、この考案のファイルコピー装置１は、前述の第一接続手段１０と、第二接続手段１２と、制御手段１４の他に、電源感知・制御手段１１と、電源供給手段１３と、表示手段１５と、入力手段１７とを含んでなる。
【００４２】
また、制御手段１４は、伝送制御手段１４０と、表示／入力制御手段１４２とを含んでもよい。
【００４３】
該電源感知・制御手段１１は、第一接続手段１０と、制御手段１４の伝送制御手段１４０にそれぞれ接続する。
【００４４】
また、該電源感知・制御手段１１は、伝送速度など、携帯式の保存媒体２０の操作速度を検知することができる。
【００４５】
該電源供給手段１３は、電源感知・制御手段１１に接続するとともに、電源感知・制御手段１１を介して電源を携帯式の保存媒体２０、２２に供給する。
【００４６】
該電源供給手段１３は、この考案のファイルコピー装置１へも必要な電力を供給することができる。実際の使用形態では、電源供給手段１３は、一般の電池、或いは充電式の電池などに限らない。また、該電源供給手段１３は、電気回路の電圧の上昇に合わせて電力を供給することができる。
【００４７】
該表示手段１５は、ＬＣＤ（Ｌｉｑｕｉｄ  Ｃｒｙｓｔａｌ  Ｄｉｓｐｌａｙ）表示モニタ、或いはＯＬＥＤ（Ｏｒｇａｎｉｃ  Ｌｉｇｈｔ  Ｅｍｉｔｔｉｎｇ  Ｄｉｏｄｅ）表示モニタなどに限らず、表示／入力制御手段１４２に接続して携帯式の保存媒体２０、２２及びメモリ手段１６に関する使用容量、残留容量、ファイル名などに限らず様々なデータを表示する。
【００４８】
図２Ｂによれば、表示手段１５は、左側の端縁部に携帯式の保存媒体２０に保存されているファイル名Ａ、Ｂ、Ｃが示され、もう一方の端縁部である右側には携帯式の保存媒体２２に保存されているファイル名Ｃ、Ｅ、Ｆが示されている。
【００４９】
入力手段１７は、キーパッド（ｋｅｙ  ｐａｄ）、タッチパネル、コントロール桿、回転リングなどに限らず、様々な形態を含み、表示／入力制御手段１４２に接続してユーザーが表示手段１５に指令信号を入力するために供する。実際の応用では、入力手段１７は、表示手段１５と一体のタッチパネルなどでもよい。
【００５０】
伝送制御手段１４０は、第一接続手段１０と、第二接続手段１２と、メモリ手段１６と、表示／入力制御手段１４２とに接続する。
【００５１】
該表示／入力制御手段１４２は、表示手段１５と、入力手段１７とに接続する。
【００５２】
また、表示／入力制御手段１４２は、表示手段１５を制御するとともに、ユーザーが入力手段１７を操作して発生した指令信号を受信し、該指令信号を伝送制御手段１４０に送信する。該伝送制御手段１４０が、該指令信号に基づいて携帯式の保存媒体２０に保存されているファイルをメモリ手段１６に保存するとともに、ファイルを携帯式の保存媒体２２へコピーする。
【００５３】
例を挙げれば、表示手段１５は、携帯式の保存媒体２０が保存する複数のファイルＡ、ＢＣを表示すると、ユーザーが入力手段１７を介して複数のファイル（例えば、ファイルＡ）を選択するとともに、ユーザーが選択する場合、入力手段が指令信号を表示／入力制御手段１４２に発信し、該表示／入力制御手段１４２が、指令信号を伝送制御手段１４０に送信する。
【００５４】
また、該伝送制御手段１４０は、指令信号に基づいてファイルＡをメモリ手段１６に保存するとともに、ファイルＡを携帯式の保存媒体２２にコピーする。
【００５５】
図３Ａから３Ｃは、この考案のファイルコピー装置を複数示したものである。図面によれば、この考案のファイルコピー装置１は、ＵＳＢメモリ２５、携帯式のハードディスク２７と、ＭＰ３／ＭＰ４メモリ２９など携帯式の保存媒体にそれぞれ接続する。
【００５６】
また、この考案のファイルコピー装置１は、携帯式の保存媒体のファイルデータをコピーするとともに、適宜な携帯式の保存媒体の内部に保存する。
【００５７】
さらに、図３Ｃに開示するように、表示手段１５は、ＵＳＢメモリ２５のファイル名を表示し、ＵＳＢメモリ２５と、携帯式のハードディスク２７のファイル名とを同時に表示する必要がない。
【００５８】
即ち、この考案のファイルコピー装置１は、表示手段１５が、さまざまな関連するファイルデータを表示するように選択して設定することができ、この考案の実施形態の表示モデルに限らない。
【００５９】
図４は、この考案のファイルコピー手段を示したブロック図である。図面によれば、この考案のファイルコピー手段３は、接続コネクタ手段３０と、接続コネクタ座手段３２と、第一メモリ手段３４と、第二メモリ手段３６と、制御手段３８とを含んでなる。
【００６０】
該接続コネクタ手段３０は、パーソナルコンピュータに限らず、データ処理装置４０に接続する。
【００６１】
該接続コネクタ座手段３２は、第一携帯式保存媒体４２及び、或いは第二携帯式保存媒体４４を挿接する。また、第一携帯式保存媒体４２は、もとのファイルを含んでなる。
【００６２】
実際の応用では、接続コネクタ手段３０は、ＵＳＢ接続コネクタに限らず、さまざまな接続手段であって、該接続コネクタ座手段３２は、ＵＳＢ接続コネクタ座に限らず、さまざまな接続座手段でよい。
【００６３】
また、実際の応用では、第一携帯式保存媒体４２と、第二携帯式保存媒体４４には、フラッシュメモリ、或いはハードディスクなどが含まれるが、それに限らない。
【００６４】
該第一メモリ手段３４は、フラッシュメモリなどを含み、第二メモリ手段３６は、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）など携帯式のメモリを含んでなる。実際の応用では、第一メモリ手段３４と、第二メモリ手段３６は、他の適宜なメモリを含み、この考案の実施形態に限らない。
【００６５】
該制御手段３８は、接続コネクタ手段３０と、接続コネクタ座手段３２と、第一メモリ手段３４と、第二メモリ手段３６とにそれぞれ接続して指令信号に基づいて選択し、データ処理装置４０とファイルの保存を行う（例えば、データ処理装置４０からファイルを読み取る、或いはメモリ手段３４、３６に保存されているファイルをデータ処理装置４０に保存するなど）。
【００６６】
或いは、制御手段３８は、指令信号に基づいて選択して、もとのファイルを第一メモリ手段３４か、或いは第二メモリ手段３６に保存し、もとのファイルをメモリ手段３４、３６から第二携帯式保存媒体４４に伝送する。
【００６７】
図５Ａは、この考案のファイルコピー装置のブロック図を示したものであって、図５Ｂは、図５Ａに開示するファイルコピー装置を示したものである。
【００６８】
図５Ａ、５Ｂによれば、この考案のファイルコピー装置３は、前述の接続コネクタ手段３０と、接続コネクタ座手段３２と、第一メモリ手段３４と、第二メモリ手段３６と、制御手段３８と、の他に、電源感知・制御手段３１と、電源供給手段３３と、表示手段３５と、入力手段３７とを含んでなる。
【００６９】
該制御手段３８は、伝送制御手段３８０と、表示／入力制御手段３８２とを含んでなる。
【００７０】
該電源感知・制御手段３１は、接続コネクタ手段３０と、接続コネクタ座手段３２と、第一メモリ手段３４と、制御手段３８とにそれぞれ接続し、データ処理装置４０の伝送速度を検知するために供するとともに、データ処理装置４０に提供する電力を受ける。
【００７１】
該電源供給手段３３は、電池からなり、ファイルコピー装置３と、第一携帯式保存媒体４２と、第二携帯式保存媒体４４とに必要な電力を供給する。実際の応用において、電源供給手段３３は、電気回路の電圧の上昇に合わせて電力を供給する。
【００７２】
該表示手段３５は、ＬＣＤ（Ｌｉｑｕｉｄ  Ｃｒｙｓｔａｌ  Ｄｉｓｐｌａｙ）表示モニタ、或いはＯＬＥＤ（Ｏｒｇａｎｉｃ  Ｌｉｇｈｔ  Ｅｍｉｔｔｉｎｇ  Ｄｉｏｄｅ）表示モニタなどを含むがそれに限らず、表示／入力制御手段３８２に接続してデータ処理装置４０、第一携帯式保存媒体４２、第二携帯式保存媒体４４に関する使用容量、残留容量、ファイル名などを含むがそれに限らず様々なデータを表示する。
【００７３】
入力手段３７は、キーパッド、タッチパネル、コントロール桿、回転リングなどを含むがそれに限らず様々な形態を含み、表示／入力制御手段３８２に接続してユーザーが表示手段３５に指令信号を入力するために供する。実際の応用において、入力手段３７は、表示手段３５と一体のタッチパネルなどでもよい。
【００７４】
制御手段３８の伝送制御手段３８０は、接続コネクタ手段３０と、接続コネクタ座手段３２と、第一メモリ手段３４と、第二メモリ手段３６とにそれぞれ接続して指令信号に基づいて選択してデータ処理装置４０とファイルの保存を実施する。
【００７５】
また、伝送制御手段３８０は、指令信号に基づいて選択してもとのファイルを第一メモリ手段３４か、或いは第二メモリ手段３６に保存する。
【００７６】
表示／入力制御手段３８２は、伝送制御手段３８０と、表示手段３５と、入力手段３７とにそれぞれ接続し、制御表示手段３５でユーザーが入力手段３７を操作して発生した指令信号を受信するとともに、指令信号を伝送制御手段３８０に送信する。
【００７７】
前述のファイルコピー装置３は、一般の携帯式のメモリとして使用してもよい。この場合、ユーザーは、ファイルコピー装置３の接続コネクタ手段３０をデータ処理装置４０に挿接するとともに、表示手段３５が入力手段３７の操作に合わせてデータ処理装置４０ないのファイルを第一メモリ手段３４か、或いは第二メモリ手段３６にコピーする。
【００７８】
または、ユーザーが表示手段３５の入力手段３７の操作に合わせて第一メモリ手段３４か、或いは第二メモリ手段３６のファイルをデータ処理装置４０に伝送する。
【００７９】
他の例を挙げると、前述のファイルコピー装置３は、携帯式の保存媒体の間のファイルコピーとして使用してもよい。この場合、ユーザーは、もとのファイルが含まれる第一携帯式保存媒体４２を接続コネクタ座手段３２に挿接し、表示手段３５が入力手段３７の操作に合わせてもとのファイルを第一メモリ手段３４か、或いは第二メモリ手段３６にコピーする。
【００８０】
その後、ユーザーが第一携帯式保存媒体４２を移動するとともに、第二携帯式保存媒体４４を接続コネクタ座手段３２に挿接する。次に、表示手段３５が入力手段３７の操作に合わせて第一メモリ手段３４か、或いは第二メモリ手段３６のファイルを第二携帯式保存媒体４４に伝送し、もとのファイルを完全に第一携帯式保存媒体４２から第二携帯式保存媒体４４にコピーする。
【００８１】
注意しなければならないのは、実際の応用において、この考案のファイルコピー装置は、サイズ及び外観を需要に応じて設計できるとともに、接続手段の数、種類も需要に応じて調整することができ、前述の実施形態に限らない。
【００８２】
また、実際の応用では、この考案のファイルコピー装置が携帯式の電子装置の内部に一体化されてもよい。該携帯式の電子装置は、ゲーム機、電子辞典、パーソナルデジタルアシスト、携帯通信手段などを含むが、それに限らない。
【００８３】
上述のように、この考案のファイルコピー装置は、コンピュータを介する必要なく、ＵＳＢメモリ内のデータを他の携帯式の保存媒体にコピーすることができる。
【００８４】
また、この考案のファイルコピー装置は、それ自体を携帯式の保存媒体として使用することもできる。
【００８５】
よって、この考案のファイルコピー装置は、非常に広く応用することができ、ユーザーがファイルを保存、コピーする場合に便利である。
【００８６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００８７】
【図１】この考案のファイルコピー装置の実施形態を示したブロック図である。
【図２Ａ】この考案のファイルコピー装置の他の実施形態を示したブロック図である。
【図２Ｂ】図２Ａに開示するファイルコピー装置を示した平面図である。
【図３Ａ】この考案のファイルコピー装置を示した平面図である。
【図３Ｂ】この考案のファイルコピー装置を示した平面図である。
【図３Ｃ】この考案のファイルコピー装置を示した平面図である。
【図４】この考案のファイルコピー装置のその他の実施形態を示したブロック図である。
【図５Ａ】この考案のファイルコピー装置の別の実施形態を示したブロック図である。
【図５Ｂ】図５Ａに開示するファイルコピー装置を示した平面図である。
【符号の説明】
【００８８】
１、３         ファイルコピー装置
１０           第一接続手段
１１、３１     電源感知・制御手段
１２           第二接続手段
１３、３３     電源供給手段
１４、３８     制御手段
１４０、３８０  伝送制御手段
１４２、３８２  表示／入力制御手段
１５、３５     表示手段
１６           メモリ手段
１７、３７     入力手段
２０、２２     携帯式の保存媒体
２５           ＵＳＢメモリ
２７           携帯式のハードディスク
２９           ＭＰ３／ＭＰ４メモリ
３０           接続コネクタ手段
３２           接続コネクタ座手段
３４           第一メモリ手段
３６           第二メモリ手段
４０           データ処理装置
４２           第一携帯式保存媒体
４４           第二携帯式保存媒体
【図１】
0003141850.tif 000003
【図２Ａ】
0003141850.tif 000004
【図２Ｂ】
0003141850.tif 000005
【図３Ａ】
0003141850.tif 000006
【図３Ｂ】
0003141850.tif 000007
【図３Ｃ】
0003141850.tif 000008
【図４】
0003141850.tif 000009
【図５Ａ】
0003141850.tif 000010
【図５Ｂ】
0003141850.tif 000011